(57)【要約】【課題】  直方体状の石油缶の底部にワンタッチで簡単に着脱できる補助把手を用意し、必要なときにこの補助把手を取り付けて容易に石油缶の底部を持ち上げることができるようにする。【解決手段】  直方体状石油缶１の下端部で対角ａ、ｂの一方の対角ａ部分に嵌合する略Ｖ字形の第一嵌合部１１と、この第一嵌合部と連結体１４を介して一体的に連結され且つ他方の対角ｂ部分に嵌合する第二嵌合部１２とを備え、前記第一嵌合部１１は少なくとも石油缶１の対角ａに連なる二つの面２、２にまたがって密接するように形成され、前記第二嵌合部１２は把手部１３を有し且つ石油缶１の対角ｂに連なる二つの面３、３にまたがって密接するように形成されている構造とした。これにより必要なときに石油缶１の底部に補助把手を取り付けて容易に石油缶の底部を持ち上げることができるようにした。【選択図】  図１
2005231678.tif 000002
【特許請求の範囲】
【請求項１】
直方体状金属製石油缶(1)の下端部で対角(a)、(b)の一方の対角(a)部分に嵌合する略Ｖ字形の第一嵌合部(11)と、他方の対角(b)部分に嵌合する第二嵌合部(12)とを備え、前記第一嵌合部(11)は少なくとも石油缶(1)の対角(a)に連なる二つの面(2)、(2)にまたがって密接するように形成され、前記第二嵌合部(12)は把手部(13)を有し且つ少なくとも石油缶(1)の対角(b)に連なる二つの面(3)、(3)にまたがって密接するように形成され、第一嵌合部(11)と第二嵌合部(12)は連結体(14)によって一体的に連結されており、前記第一嵌合部(11)並びに第二嵌合部(12)を介して石油缶(1)の底部に着脱自在に嵌合できるように形成されている石油缶用補助把手。
【請求項２】
前記第一嵌合部(11)、第二嵌合部(12)、連結体(14)並びに把手部(13)が金属製の棒杆を屈曲することによって一体的に形成されている請求項１に記載の石油缶用補助把手。
【請求項３】
前記連結体(14)、第二嵌合部(12)並びに把手部(13)が金属製の棒杆を屈曲することによって形成され、第一嵌合部(11)が合成樹脂成形材によって形成されている請求項１に記載の石油缶用補助把手。
【請求項４】
前記第一嵌合部(11)、第二嵌合部(12)、連結体(14)並びに把手部(13)が合成樹脂成形品によって一体的に形成されている石油缶用補助把手。
【発明の詳細な説明】
【技術分野】
【０００１】
本発明は、直方体状の金属製石油缶、殊に１８リットル又は２０リットル用の金属製石油缶から収納液を取り出す際に使用される着脱自在な補助把手に関しする。
【従来技術】
【０００２】
従来、各種オイルや塗料、洗浄溶液又は化学薬品を収納する容器として横断面正方形で直方体の１８リットル又は２０リットル用の金属製石油缶が広く使用されている。この石油缶は図２の符号１で示すように、上面に把手５と取出口６を備え、収納液を取り出すときに把手５を片手で持ち、他方の手で石油缶１の底部を持ち上げて取出口２から排出している。
【発明の開示】
【発明が解決しようとする課題】
【０００３】
しかし、この石油缶は満杯時には少なくとも１８〜２０Kgと重量があり、底部を持ち上げたときに滑りやすいこともあって、工場や作業現場で繰り返し満杯の石油缶から内容液を排出する作業は、大変な労力を必要とした。
【０００４】
そこで本発明は、石油缶の底部にワンタッチで簡単に着脱できる補助把手を用意し、必要なときにこの補助把手を取り付けて容易に石油缶の底部を持ち上げることができるようにし、これにより石油缶内容液の排出作業を容易にして作業者の労力の軽減を図ることを主たる目的とするものである。
【課題を解決するための手段】
【０００５】
本発明は、上記目的を達成するために、次の技術的手段を講じた。
【０００６】
すなわち、本発明は、直方体状石油缶１の下端部で対角ａ、ｂの一方の対角ａ部分に嵌合する略Ｖ字形の第一嵌合部１１と、他方の対角ｂ部分に嵌合する第二嵌合部１２とを備え、前記第一嵌合部１１は少なくとも石油缶１の対角ａに連なる二つの面２、２にまたがって密接するように形成され、前記第二嵌合部１２は把手部１３を有し且つ少なくとも石油缶１の対角ｂに連なる二つの面３、３にまたがって密接するように形成され、第一嵌合部１１と第二嵌合部１２は連結体１４によって一体的に連結されており、前記第一嵌合部１１並びに第二嵌合部１２を介して石油缶１の底部に着脱自在に嵌合できるように形成されている構造とした。これにより必要なときに石油缶１の底部に補助把手を取り付けて容易に石油缶の底部を持ち上げることができるようにした。
【０００７】
本発明の補助把手は図１に示すように、前記連結体１４、第二嵌合部１２並びに把手部１３を金属製の棒杆を屈曲することによって一体形成し、第一嵌合部(11)を合成樹脂成形材によって形成して両者を一体的に結合して構成するのが好ましいが、図５に示すように第一嵌合部１１、第二嵌合部１２、連結体１４並びに把手部１３の全てを金属製の棒杆を屈曲することによって一体的に形成してもよく、又図６に示すように全体を合成樹脂成形品によって一体的に形成することも可能である。
【発明の効果】
【０００８】
以上述べた如く本発明によれば、直方体の石油缶にワンッタチで着脱でき、必要なときに石油缶に取り付けることによって手滑り等の生じることなく容易に石油缶の底部を持ち上げることができ、これにより石油缶内容液の排出作業の労力を軽減することができると共に、その構造が簡単であるから安価に製作することができるといった効果がある。
【発明を実施するための最良の形態】
【０００９】
以下、本発明の実施の形態を図示実施例に基づいて説明する。
図１〜図４は本発明の第一の実施例を示すものであって、符号１で本発明の補助把手が適応される１８リットル又は２０リットル用石油缶を示す。この石油缶１は直方体で金属材で形成され、上面中央に把手５が、上面のコーナー部にキャップ付の取出口６が設けられている標準タイプのものである。
【００１０】
本発明の補助把手はこの石油缶１の下部に着脱自在に取り付けて使用されるものであって、該補助把手は石油缶１の下端部で対角ａ、ｂの一方の対角ａ部分に嵌合する略Ｖ字形の第一嵌合部１１と、他方の対角ｂ部分に嵌合する第二嵌合部１２とを備えている。前記第一嵌合部１１は少なくとも石油缶１の対角ａに連なる二つの面２、２にまたがってこれら両面に密接して挟むように形成されている。前記第二嵌合部１２は石油缶１の対角ｂに連なる二つの面３、３にまたがってこれら両面に密接して挟むように形成されている。また前記第二嵌合部１２の先端に連なって把手部１３が設けられている。この把手部１３は石油缶１に取り付けられたときに石油缶の対角ｂより外方に向かって突出するように形成されている。また第一嵌合部１１と第二嵌合部１２は連結体１４によって一体的に連結されている。この連結体１４は補助把手を石油缶１に取り付けたときに石油缶の底面４に近接するように形成されている。このような構造とすることにより補助把手を第一嵌合部１１並びに第二嵌合部１２を介して石油缶１の底部に着脱自在に嵌合できるように形成されている。尚、本実施例にあっては前記連結体１４、第二嵌合部１２並びに把手部１３が１本の金属製棒杆を屈曲することによって一体形成され、前記第一嵌合部１１が合成樹脂成形材によって形成されていてこれら両者が一体的に結合して構成されている。
【００１１】
上記の如く構成された補助把手は図１〜図４に示すように、第一嵌合部１１並びに第二嵌合部嵌合１２を介して石油缶１の下部の対角部分ａ、ｂに嵌合させて取り付け、一方の手で石油缶上面の把手５を持ち、他方の手で石油缶１に取り付けられた補助把手の把手部１３をもって石油缶の底部を持ち上げることにより容易に内容物を取出口６から排出させることができる。この際、本発明の補助把手は石油缶の下部の相対する対角部分で第一嵌合部１１と第二嵌合部１２とのよって石油缶１を挟むように嵌合しているので抜け落ちることがない。尚、発明者の反復実験によっても嵌合状態は安定していて全く抜け落ちることはなかった。また石油缶１への取り付けも第一嵌合部１１並びに第二嵌合部１２を同時にワンタッチで簡単にはめ込むことができ、取りはずしも石油缶の上下方向に沿って水平に引き抜くことによって容易に取り外すことができた。
【００１２】
尚、本発明の補助把手は、図５に示すように第一嵌合部１１、第二嵌合部１２、連結体１４並びに把手部１３の全てを金属製の棒杆を屈曲することによって一体的に形成することも可能であり、更には図６に示すように第一嵌合部１１、第二嵌合部１２、連結体１４並びに把手部１３の全体を合成樹脂成形品によって一体的に形成することも可能である。又図示は省略するが、第一嵌合部１１と連結体１４を金属棒で形成し、第二嵌合部１２と把手部１３を樹脂材料で形成して両者を一体的に連結することによって構成することも可能である。
【００１３】
以上本発明の代表的と思われる実施例について説明したが、本発明は必ずしもこれらの実施例構造のみに限定されるものではない。例えば本発明の補助把手が適応される直方体の石油缶は上記実施例で示した１８リットル又は２０リットル用に限定されるものでなく、比較的重量があって手で操作で排出操作できる程度の容量の石油缶であればその全てに応用できるものである。その他本発明では、その構成要件を備え、かつ本発明の目的を達成し、下記の効果を奏する範囲内において適宜改変して実施できるものである。
【図面の簡単な説明】
【００１４】
【図１】本発明にかかる補助把手の第１の実施例を示す斜視図。
【図２】上記補助把手を石油缶に取り付けた状態を示す斜視図、
【図３】上記補助把手を石油缶に取り付けた状態を示す平面図。
【図４】上記補助把手を石油缶に取り付けて石油缶下部を持ち上げた状態を示す側面図。
【図５】本発明に係る補助把手の第２の実施例を示す斜視図。
【図６】本発明に係る補助把手の第３の実施例を示す斜視図。
【符号の説明】
【００１５】
１  石油缶
２  石油缶の対角ａに連なる面
３  石油缶の対角ｂに連なる面
１１  第一嵌合部
１２  第二嵌合部
１３  把手部
１４  連結体
ａ、ｂ    石油缶の対角
【図１】
2005231678.tif 000003
【図２】
2005231678.tif 000004
【図３】
2005231678.tif 000005
【図４】
2005231678.tif 000006
【図５】
2005231678.tif 000007
【図６】
2005231678.tif 000008